(57)【要約】【課題】スクリュー逆回転工程の制御条件をより適したものに調整できるようにする。【解決手段】計量完了後、射出前に行うスクリュー逆回転工程の逆回転量を成形サイクル毎変化させながら成形を行う。射出時、逆流防止弁が閉鎖するまでの間、樹脂は逆流する。この樹脂の逆流によるスクリューを逆回転させる力のピーク値等を検出することによって、樹脂の逆流量となる指標を検出する（103）。樹脂の逆流量となる指標及び計量時間等からスクリュー逆回転工程における制御条件を求めるための評価関数により評価値を求める（10８、109）。評価の高いスクリュー逆回転量をスクリュー逆回転工程の制御条件とする（116）。これによって、いたずらに計量時間を長くすることなく、射出時の樹脂の逆流量を少なくするスクリュー逆回転工程の制御条件が得られる。樹脂・金型・成形条件に応じて、最適な逆回転量を求めることができる。【選択図】図５
2008155600.tif 000002
【特許請求の範囲】
【請求項１】
逆流防止弁を備えるスクリューと、
該スクリューを回転駆動する回転駆動手段と、
前記スクリューをスクリュー軸方向に駆動する軸方向駆動手段と、
前記スクリューに作用する回転力を検出する回転力検出手段とを備え、
計量工程完了後、射出工程開始までの間に前記スクリューを設定された制御条件で計量時とは逆方向に回転させる逆回転工程を有する射出成形機において、
前記スクリューを前進させている際に、前記逆流防止弁を通って逆流する樹脂の逆流量を示す指標となる成形動作状態を示す1つ以上の物理量を検出する逆流量指標検出手段と、
該求めた逆流量の指標を、前記制御条件を評価する評価関数に入力し評価値を求める評価値算出手段と、
所定の範囲内で前記逆回転工程の制御条件を変化させながら成形運転を繰り返し行い、前記評価値算出手段で算出される評価値の中で最も評価値が高い制御条件を連続成形時の逆回転工程の制御条件として選択する制御条件選択手段とを備えることを特徴とする射出成形機。
【請求項２】
前記逆流量指標検出手段は、前記スクリューを前進させている際に前記回転力検出手段で検出される回転力がピークとなる時点における、
前記回転力検出手段で検出した回転力、
スクリュー前進開始時点から回転力ピーク時点までの前記回転力の時間積分値、
スクリュー前進開始時点から回転力ピーク時点まで前記回転力をスクリュー位置に関して積分した値、
スクリュー位置、
スクリュー前進開始時点から回転力ピーク時点までのスクリューの移動距離、
スクリュー前進開始時点から回転力ピーク時点までの経過時間、
のいずれかの物理量、さらに、
スクリュー前進開始時点から所定時間経過後のスクリューにかかるスクリューを後退させる方向の圧力、
所定スクリュー位置におけるスクリューにかかるスクリューを後退させる方向の圧力、
の物理量の内のいずれか１つ以上を検出し、樹脂の逆流量の指標とするものである請求項１に記載の射出成形機。
【請求項３】
計量時間または計量トルクを検出する手段を備え、前記評価値算出手段は、前記求めた逆流量の指標に加えて、計量時間と計量トルクの内の少なくとも１つを、前記評価関数の変数とし、該評価関数により評価値を求めることを特徴とする請求項１または請求項２に記載の射出成形機。
【請求項４】
前記評価関数は、
【数１】
2008155600.tif 000009
（ｉ≧１、ａ1≠０、ｂ1≠０、Ｘ1は逆流量の指標等の変数）
または、
【数２】
2008155600.tif 000010
（ｉ≧１、ｃ1≠０、Ｘ1は逆流量の指標等の変数）
であることを特徴とする請求項１乃至３の内いずれか１項に記載の射出成形機。
【請求項５】
前記変化させる逆回転工程の制御条件は、スクリューの逆回転時間と、スクリューの逆回転速度と、スクリューの逆回転量の内の１つまたは２つである請求項１乃至４の内いずれか１項に記載の射出成形機。
【請求項６】
前記スクリュー前進は、射出保圧工程におけるスクリュー前進であることを特徴とする請求項１乃至５の内いずれか１項に記載の射出成形機。
【請求項７】
前記スクリュー前進は、計量工程完了から射出工程開始までの間に行うスクリュー前進であることを特徴とする請求項１乃至５の内いずれか１項に記載の射出成形機。
【請求項８】
逆流防止弁を備えるスクリューと、
該スクリューを回転駆動する回転駆動手段と、
前記スクリューをスクリュー軸方向に駆動する軸方向駆動手段と、
前記スクリューに作用する回転力を検出する回転力検出手段とを備え、
計量工程完了後、射出工程開始までの間に前記スクリューを設定された制御条件で計量時とは逆方向に回転させる逆回転工程を有する射出成形機において、
（１）前記逆回転工程の制御条件を設定し成形サイクルを行い、
（２）前記スクリューを前進させたとき、前記逆流防止弁を通って逆流する樹脂の逆流量を示す指標となる成形動作状態を示す1つ以上の物理量を検出し、
（３）検出された逆流量の指標を評価関数に入力し、評価値を求め、
（４）前記逆回転工程の制御条件の設定値を変更し前記（１）〜（３）の動作を繰り返し実行して、評価値の高い制御条件を逆回転工程の制御条件とするようにした射出成形機における逆回転工程の制御条件調整方法。
【請求項９】
前記逆流量の指標として求められる物理量は、スクリューに作用する回転力がピークとなる時点における、
前記回転力検出手段で検出した回転力、
スクリュー前進開始時点から回転力ピーク時点までの前記回転力の時間積分値、
スクリュー前進開始時点から回転力ピーク時点まで前記回転力をスクリュー位置に関して積分した値、
スクリュー位置、
スクリュー前進開始時点から回転力ピーク時点までのスクリューの移動距離、
スクリュー前進開始時点から回転力ピーク時点までの経過時間、
のいずれかの物理量、または、
スクリュー前進開始時点から所定時間経過後のスクリューにかかるスクリューを後退させる方向の圧力、
所定スクリュー位置におけるスクリューにかかるスクリューを後退させる方向の圧力、
の物理量の中から１つ以上を検出し樹脂の逆流量の指標とする請求項８に記載の射出成形機における逆回転工程の制御条件調整方法。
【請求項１０】
計量工程の計量時間と計量トルクの内の少なくとも１つを求め、前記評価関数の変数の１つとし、該評価関数により評価値を求めることを特徴とする請求項８または請求項９に記載の射出成形機の調整方法。
【請求項１１】
前記評価関数は、
【数３】
2008155600.tif 000011
（ｉ≧１、ａ1≠０、ｂ1≠０、Ｘ1は逆流量の指標等の変数）
または、
【数４】
2008155600.tif 000012
（ｉ≧１、ｃ1≠０、Ｘ1は逆流量の指標等の変数）
であることを特徴とする請求項８乃至１０の内いずれか１項に記載の射出成形機における逆回転工程の制御条件調整方法。
【請求項１２】
前記変化させる逆回転工程の制御条件は、スクリューの逆回転時間と、スクリューの逆回転速度と、スクリューの逆回転量の内の１つまたは２つである請求項８乃至１１の内いずれか１項に記載の射出成形機における逆回転工程の制御条件調整方法。
【請求項１３】
射出保圧工程におけるスクリュー前進において、前記逆流量の指標として物理量を検出することを特徴とする請求項８乃至１２の内いずれか１項に射出成形機における逆回転工程の制御条件調整方法。
【請求項１４】
計量工程完了から射出工程開始までの間に行われるスクリュー前進において、記逆流量の指標として物理量を検出することを特徴とする請求項８乃至１２の内いずれか１項に射出成形機における逆回転工程の制御条件調整方法。
【発明の詳細な説明】
【技術分野】
【０００１】
本発明は、スクリュー先端に逆流防止弁を有する射出成形機における逆回転工程の制御条件調整に関する。
【背景技術】
【０００２】
インラインスクリュー式の射出成形機のように、射出時の樹脂の逆流を防止するためにスクリュー先端に逆流防止弁機構を備えた射出機構を有する射出成形機は、従来から使用されている。図１は、この逆流防止弁機構の一例である。スクリュー１はシリンダ７内に挿入され、該スクリュー１の先端には、スクリューヘッド２とスクリュー１の本体部分間の縮径された部分にスクリュー軸方向に移動可能に逆流防止弁３が配置され、この縮径された部分のスクリュー１の本体側には、この逆流防止弁３と当接密着し、樹脂通路を閉鎖するチェックシート４を備える。
【０００３】
スクリュー１の後方から供給される樹脂ペレット８はスクリュー１が回転することで発生するせん断熱とスクリュー１が挿入されているシリンダ７の外側に設けられたヒータからの熱により溶融される。溶融された樹脂は逆流防止弁３の後方の樹脂圧力を上昇させ、逆流防止弁３を前方に押す力を発生させる。逆流防止弁３が前方に押されると後方の樹脂が逆流防止弁３と縮径された部分の間隙を通り逆流防止弁３の前方に流れ込みスクリューヘッド２前方のシリンダ７内の圧力を上昇させる。
【０００４】
逆流防止弁３の前方の圧力が所定の圧力（背圧）を超えるとスクリュー１が後方に押されて逆流防止弁３の前方の圧力が減圧される。更にスクリュー１が回転することで逆流防止弁３の後方の圧力が逆流防止弁３の前方の圧力よりも高くなるので継続して溶融された樹脂が逆流防止弁３の前方に送り込まれ、所定の量までスクリュー１が後退するとスクリュー回転を停止させる（計量工程）。
【０００５】
次に射出工程に入り、樹脂を充填するためにスクリュー１が前進（図１中右から左方向へ）すると、スクリューヘッド２の前方にたまった樹脂圧力が上昇するので、逆流防止弁３が後退しチェックシート４と密着して樹脂通路を閉鎖し、充填圧により溶融樹脂がスクリュー後退方向に逆流（符号Ｆに示す流れ）することを防止する。逆流防止弁３が後退し樹脂通路を閉鎖するタイミングが変動すると充填される樹脂の量も変動し、成形が不安定になる。
【０００６】
射出時の逆流防止弁機構はスクリュー１の前進により逆流防止弁機構の前方の圧力が後方の圧力よりも高くなることで閉鎖されるが、前述したように射出直前の逆流防止弁機構の後方はフライト５間の溝部６に残圧があり、この残圧の影響で閉鎖タイミングが変動するという問題がある。射出開始から逆流防止弁閉鎖までの間には逆流防止弁前方から後方に向かって樹脂の逆流が生じるため、この閉鎖タイミングの変動によって、サイクル毎の射出体積に変動が生じ、成形される成形品の品質に影響を与える。
【０００７】
そのため、計量完了後に計量時のスクリュー回転方向とは逆方向にスクリューを回転させる工程を射出・保圧工程の前に入れて、スクリューを逆回転させてその後射出を行うようにした発明が知られている（特許文献１、２、３参照）。スクリューの逆回転によって、射出開始時点では必ずしも逆流防止弁が閉じているわけではないが、射出を開始すると即座に逆流防止弁が閉じるようにするためにスクリューを逆回転させるものである。
【０００８】
このようなスクリューの逆回転においては、逆回転の回転量・逆回転の回転速度などの逆回転の制御条件を適切な値にする必要がある。
【０００９】
この逆回転の制御条件を決定する方法として、例えば、特許文献４には、スクリュー逆回転時に逆流防止弁が閉鎖すると、スクリュー回転用のオイルモータの供給油圧が急激に上昇することから、スクリュー逆回転時の回転トルクが所定値に達した時にスクリューの逆回転を停止するようにした発明が記載されている。
【００１０】
また、特許文献５には、樹脂粘度に応じて、スクリュー逆回転時の運転制御条件（スクリュー逆回転時間、スクリュー前進方向への付加圧力、逆回転速度、逆回転量の組）を予め複数用意しておき、この中の１つを選択することにより、逆回転の制御条件を自動的に設定する発明が記載されている。
【００１１】
逆流防止弁が開いた状態で射出すると、射出中に樹脂が逆流し、計量時のスクリュー回転方向とは逆方向の回転トルク（逆回転トルク）がスクリューに働く、この逆転トルクによるスクリューの逆回転を阻止するために、スクリューを回転させる油圧モータに少量の油圧を送り逆回転を阻止するもの（特許文献６、７参照）、スクリューを回転させるモータに対して０の回転数指令を出力したり、又は位置制御を行うことによって、スクリューの回転を阻止するもの（特許文献８参照）、さらには、ラチェット歯車によって回転を阻止するもの（特許文献９参照）が知られている。
【００１２】
又、スクリュー先端に逆流防止弁を備えた射出成形機では、射出中に逆流防止弁が閉じるとスクリューに逆回転トルクが働かなくなることが知れている。
【００１３】
例えば、特許文献１０には、射出開始時にはブレーキをかけてスクリューの逆回転を阻止し、逆流防止弁が閉じることによってスクリューに逆回転トルクは働かなくなることから、スクリューが所定距離だけ前進した時に逆流防止弁が閉じたと判断して、スクリュー回転のブレーキを解放する発明が記載されている。
【００１４】
また、特許文献１１には、スクリュー回転を自在にして射出を開始し、射出開始当初は樹脂の逆流によってスクリューが逆回転するが、逆流防止弁が閉じるとスクリューに逆回転トルクは働かなくなり、スクリューの逆回転が停止することから、このスクリュー逆回転の停止を検知して、逆流防止弁の閉鎖を検出するようにした発明が記載されている。
【００１５】
さらに、特許文献１２には、逆流防止弁の摩耗などにより射出・保圧時の樹脂の逆流が増加してくると、射出・保圧時にスクリューに作用する逆回転トルクが増加することから、この逆回転トルクが許容範囲を超えたら異常を検知する技術が記載されている。
【００１６】
【特許文献１】特公昭４５−２９８８号公報
【特許文献２】特開昭５６−１１３４４０号公報
【特許文献３】特開平１−１９２５２１号公報
【特許文献４】特開平４−２８４２２１号公報
【特許文献５】特開２００３−３０５７５８号公報
【特許文献６】特開昭４８−２１７４１号公報
【特許文献７】特開昭４９−７４２５２号公報
【特許文献８】特開昭６２−２３６７２０号公報
【特許文献９】実開昭６３−１６６４１２号公報
【特許文献１０】特開平１１−１７０３１９号公報
【特許文献１１】特開２００４−２１６８０８号公報
【特許文献１２】特開平１−１６８４２１号公報
【発明の開示】
【発明が解決しようとする課題】
【００１７】
射出中に樹脂の逆流が生じその逆流量が変動すると、金型に充填される樹脂量に変動が生じ、成形される成形品の品質に影響を与える。そのために、スクリューを逆回転させて逆流防止弁の前方と後方の圧力差を発生させて、該逆流防止弁を移動させて閉鎖、もしくは、より閉鎖し易い状態にする必要があり、そのためにスクリュー逆回転のよりよい制御条件を得ることが望ましい。
【００１８】
このスクリュー逆回転工程において、逆回転量が不足していると、射出時の逆流量が多くなり、成形品の品質に影響がでる。また、逆回転量が多すぎると、逆流防止弁の後方にある樹脂を必要以上に後方に送ってしまい、計量時間が長くなり、サイクルタイムを長くするという問題がある。
【００１９】
前述した特許文献４に記載された発明では、スクリュー逆回転時に逆流防止弁が閉鎖すると、スクリュー回転用のオイルモータの供給油圧が急激に上昇することから、スクリュー逆回転時の回転トルクが所定値に達した時にスクリューの逆回転を停止するようにしているが、樹脂の種類によっては、スクリュー逆回転するだけでは逆流防止弁の閉鎖まで至らないものや、スクリュー逆回転中にリングが閉鎖しても逆回転トルクの増加がみられないものがあり、この特許文献４に記載された発明では、最適なスクリュー逆回転の制御条件を得ることは難しいという問題がある。
【００２０】
特許文献５に記載された発明は、樹脂の粘度だけでスクリュー逆回転の制御条件を決定しているが、逆回転量の最適値は、金型の形状、スクリュー形状、逆流防止弁のストローク、制御条件によっても変化するため、この特許文献５に記載された方法では必ずしも最適値に調整することができないという問題がある。
【００２１】
そこで、本発明の目的は、上述した問題点を解決し、スクリュー逆回転時の制御条件をより適したものに決定できる射出成形機又は射出成形機における逆回転工程の制御条件調整方法を提供することにある。
【課題を解決するための手段】
【００２２】
請求項１から請求項７に係る発明は、スクリューの逆回転工程を備えた射出成形機において、逆回転量を調整できる射出成形機に関するものであり、請求項１に係る発明は、逆流防止弁を備えるスクリューと、該スクリューを回転駆動する回転駆動手段と、前記スクリューをスクリュー軸方向に駆動する軸方向駆動手段と、前記スクリューに作用する回転力を検出する回転力検出手段とを備え、計量工程完了後、射出工程開始までの間に前記スクリューを設定された制御条件で計量時とは逆方向に回転させる逆回転工程を有する射出成形機において、前記スクリューを前進させている際に、前記逆流防止弁を通って逆流する樹脂の逆流量を示す指標となる成形動作状態を示す１つ以上の物理量を検出する逆流量指標検出手段と、該求めた逆流量の指標を、前記制御条件を評価する評価関数に入力し評価値を求める評価値算出手段と、所定の範囲内で前記逆回転工程の制御条件を変化させながら成形運転を繰り返し行い、前記評価値算出手段で算出される評価値の中で最も評価値が高い制御条件を連続成形時の逆回転工程の制御条件として選択する制御条件選択手段とを備えることを特徴とするものである。
【００２３】
さらに、請求項２に係る発明は、前記逆流量指標検出手段が検出する物理量を前記スクリューを前進させている際に前記回転力検出手段で検出される回転力がピークとなる時点における、前記回転力検出手段で検出した回転力、スクリュー前進開始時点から回転力ピーク時点までの前記回転力の時間積分値、スクリュー前進開始時点から回転力ピーク時点まで前記回転力をスクリュー位置に関して積分した値、スクリュー位置、スクリュー前進開始時点から回転力ピーク時点までのスクリューの移動距離、スクリュー前進開始時点から回転力ピーク時点までの経過時間のいずれかの物理量、さらには、スクリュー前進開始時点から所定時間経過後のスクリューにかかるスクリューを後退させる方向の圧力、所定スクリュー位置におけるスクリューにかかるスクリューを後退させる方向の圧力の物理量の内のいずれか１つ以上とし、この検出物理量を樹脂の逆流量の指標とするものである。
【００２４】
また、請求項３に係る発明は、計量時間または計量トルクを検出する手段を備え、前記評価値算出手段は、前記求めた逆流量の指標に加えて、計量時間と計量トルクの内の少なくとも１つを、前記評価関数の変数とし、該評価関数により評価値を求めるものとした。
そして、請求項４に係る発明では、前記評価関数を、
【００２５】
【数１】
2008155600.tif 000003
（ｉ≧１、ａ1≠０、ｂ1≠０、Ｘ1は逆流量の指標等の変数）
または、
【数２】
2008155600.tif 000004
（ｉ≧１、ｃ1≠０、Ｘ1は逆流量の指標等の変数）
とした。
【００２６】
請求項５に係る発明は、前記変化させる逆回転工程の制御条件を、スクリューの逆回転時間と、スクリューの逆回転速度と、スクリューの逆回転量の内の１つまたは２つとし、請求項６に係る発明は、前記スクリュー前進を、射出保圧工程におけるスクリュー前進とし、請求項７に係る発明は、前記スクリュー前進を、計量工程完了から射出工程開始までの間に行うスクリュー前進とした。
【００２７】
請求項８から請求項１４に係る発明は、逆流防止弁を備えるスクリューと、該スクリューを回転駆動する回転駆動手段と、前記スクリューをスクリュー軸方向に駆動する軸方向駆動手段と、前記スクリューに作用する回転力を検出する回転力検出手段とを備え、計量工程完了後、射出工程開始までの間に前記スクリューを設定された制御条件で計量時とは逆方向に回転させる逆回転工程を有する射出成形機における逆回転工程の逆回転量の調整方法であり、請求項８に係る発明は、
（１）前記逆回転工程の制御条件を設定し成形サイクルを行い、
（２）前記スクリューを前進させたとき、前記逆流防止弁を通って逆流する樹脂の逆流量を示す指標となる成形動作状態を示す１つ以上の物理量を検出し、
（３）検出された逆流量の指標を評価関数に入力し、評価値を求め、
（４）前記逆回転工程の制御条件の設定値を変更し前記（１）〜（３）の動作を繰り返し実行して、評価値の高い制御条件を逆回転工程の制御条件とするようにしたものである。
【００２８】
また、請求項９に係る発明は、前記逆流量の指標として求められる物理量を、スクリューに作用する回転力がピークとなる時点における、前記回転力検出手段で検出した回転力、スクリュー前進開始時点から回転力ピーク時点までの前記回転力の時間積分値、スクリュー前進開始時点から回転力ピーク時点まで前記回転力をスクリュー位置に関して積分した値、スクリュー位置、スクリュー前進開始時点から回転力ピーク時点までのスクリューの移動距離、スクリュー前進開始時点から回転力ピーク時点までの経過時間のいずれかの物理量、または、スクリュー前進開始時点から所定時間経過後のスクリューにかかるスクリューを後退させる方向の圧力、所定スクリュー位置におけるスクリューにかかるスクリューを後退させる方向の圧力の物理量の中から１つ以上とし、この物理量を樹脂の逆流量の指標とするものである。
【００２９】
請求項１０に係る発明は、さらに、計量工程の計量時間と計量トルクの内の少なくとも１つを求め、前記評価関数の変数の１つとし、該評価関数により評価値を求めるものとした。さらに、請求項１１に係る発明は、この制御条件調整方法で用いる前記評価関数を、
【００３０】
【数３】
2008155600.tif 000005
（ｉ≧１、ａ1≠０、ｂ1≠０、Ｘ1は逆流量の指標等の変数）
または、
【数４】
2008155600.tif 000006
（ｉ≧１、ｃ1≠０、Ｘ1は逆流量の指標等の変数）
とした。
【００３１】
請求項１２に係る発明は、この制御条件調整方法において、前記変化させる逆回転工程の制御条件を、スクリューの逆回転時間と、スクリューの逆回転速度と、スクリューの逆回転量の内の１つまたは２つとし、請求項１３に係る発明は、射出保圧工程におけるスクリュー前進において、前記逆流量の指標として物理量を検出するようにし、請求項１４に係る発明は、計量工程完了から射出工程開始までの間に行われるスクリュー前進において、前記逆流量の指標として物理量を検出するようにした。
【発明の効果】
【００３２】
本発明は、スクリュー前進時の樹脂の逆流量を示す指標を求めて、この逆流量が少なく、かつ、計量時間を無駄に長くしない最適なスクリュー逆回転工程の制御条件を求めることができるから、樹脂、金型が変わっても、また、成形条件が変わっても、そのとき使用する樹脂、金型、成形条件に応じて最適なスクリュー逆回転工程の制御条件を得ることができる。
【発明を実施するための最良の形態】
【００３３】
まず、本発明の動作原理について説明する。  
計量完了後、射出・保圧工程の前に行うスクリューの逆回転工程は、スクリュー先端に設けられた逆流防止弁の閉鎖が行われるように、逆流防止弁の閉鎖もしくは閉鎖が容易な状態にすることを目的とするものであり、前述したように、このスクリュー逆回転量が少ないと、射出時において逆流防止弁の閉鎖が遅れて、樹脂の逆流量が増大し、スクリュー逆回転量がいたずらに多いと、樹脂の逆流量は減少するが、計量時間が長くなりサイクルタイムを長くするという問題があり、このスクリュー逆回転の制御条件を、樹脂の逆流量が少なく、計量時間を長くしないような、より適したものにする必要がある。
【００３４】
図２は、計量工程が終了してから、スクリューが逆回転され、スクリューが前進（射出）開始されるまでの逆流防止弁機構の状態を説明する説明図である。
【００３５】
図２（ａ）は、計量工程終了時のスクリュー位置、逆流防止弁機構の状態を示すもので、スクリューヘッド２の先端のシリンダ７内には溶融樹脂が貯えられており、スクリュー１は後退位置にある。計量工程では、スクリューの回転によって溶融された樹脂が逆流防止弁３の後方の樹脂圧力を上昇させ、逆流防止弁３を前方に押す力を発生させ、逆流防止弁３を前方に押し出し、溶融樹脂は逆流防止弁３とスクリューの縮径された部分の間隙を通り逆流防止弁３の前方に流れ込んでいる。計量工程が終了した段階では、逆流防止弁３は、図２（ａ）に示すように、前方に位置し、弁を開き、溶融樹脂の通路を解放している。
【００３６】
図２（ｂ）は、計量完了後にスクリュー逆回転させ、逆流防止弁３の後方の樹脂圧力を低下させることによって、逆流防止弁３の後退を誘発させ、該逆流防止弁３が閉じやすい状態にしている。
【００３７】
図２（ｃ）は、スクリュー１の前進（射出）が開始され、逆流防止弁３が閉じたタイミングの状態を表す図であり、図２（ｂ）〜図２（ｃ）までの間ｄが、樹脂が逆流する区間で、スクリュー１の前進（射出）開始から、逆流防止弁３が閉じるまでのスクリュー移動距離を表す。
【００３８】
図２（ｂ）で示される、スクリュー逆回転の制御条件が適切でなく、スクリュー逆回転量が少ないと射出時の逆流防止弁３の移動が遅く、該逆流防止弁３の閉鎖が遅れる（図２（ｂ）〜図２（ｃ）の間のスクリュー移動距離ｄが長くなる）と、射出時に樹脂の逆流量が増大し、金型に射出される樹脂量が減少する。一方、スクリュー逆回転量がいたずらに多いと、射出時に樹脂の逆流量は少なくなるが、計量時間が長くなる。
【００３９】
また、計量工程完了後、射出を開始する前にスクリューを前進させる射出前スクリュー移動工程を実施する場合にも、このスクリュー逆回転工程を追加することができる。すなわち、計量完了時には、図２（ａ）に示すように逆流防止弁機構の逆流防止弁は開いた状態にある。その後、図２（ｂ）に示すように、スクリューを逆回転させ、逆流防止弁が閉じやすい状態とし、射出前スクリュー移動工程によるスクリュー前進を行わせる。この射出前スクリュー移動工程によるスクリュー前進によって、逆流防止弁は閉鎖することになる。この場合においては、図２（ｃ）は、この射出前スクリュー移動工程によるスクリュー前進によって、逆流防止弁が樹脂通路を閉鎖した状態になったときを示している。
この場合においても、射出前スクリュー移動工程によるスクリュー前進で、逆流防止弁３が閉じるまでスクリューが移動する間に、樹脂の逆流が生じ、スクリュー逆回転の制御条件が適切でないと、この樹脂の逆流量が変動し、射出時に金型を充填させる樹脂量が変動し、成形品の品質に影響がでたり、計量時間を長くするという問題が生じる。
【００４０】
そこで、本発明は、スクリュー逆回転の制御条件（スクリュー逆回転量（回転角））を変えてスクリュー前進時の樹脂の逆流量を示す指標を求め、該指標に基づいてスクリュー逆回転工程を評価する評価関数により制御条件を評価し、評価の高くなったときのスクリュー逆回転の制御条件を求めるようにする。
【００４１】
＜スクリュー前進時の樹脂逆流量の指標について＞
図３は、スクリューを前進させたときにスクリューにかかるスクリュー回転方向の負荷を表すグラフで、横軸は、時間又は射出方向のスクリュー位置、縦軸はスクリュー回転方向の負荷を表す。
【００４２】
図３中、Ｓ点は、スクリューの前進開始点であり、スクリュー１を前進させると、逆流防止弁３とチェックシート４の間隙から樹脂の逆流Ｆが始まる。この逆流した樹脂によって、スクリュー１のフライト５に、樹脂圧が作用し、計量時にかかる負荷と同じようにスクリューには逆回転方向に回転させようとする負荷が加わり、スクリュー１の前進とともに逆回転方向の負荷は増加していく。やがて、逆流防止弁３が閉鎖すると逆流がなくなるため、逆回転方向の負荷は増加から減少に転じる。この時、逆回転方向の負荷はピーク値をとり、このピークとなった時点が逆流防止弁閉鎖時点を表す。
【００４３】
（１）スクリュー逆回転方向の負荷のピーク値は逆流量の指標
逆流防止弁が閉じるまでの間（図２の（ｂ）と（ｃ）の間の区間ｄ）は、スクリュー逆回転方向の負荷は増加を続けるため、逆流防止弁が閉じるタイミングが遅ければ、スクリュー逆回転方向の負荷のピーク値も高くなる。逆流防止弁が閉じるタイミングが遅いということは、樹脂の逆流量が多いということを意味するので、スクリュー逆回転方向の負荷のピーク値の高さ（大きさ）は樹脂の逆流量の指標となる。この場合、スクリュー逆回転方向の負荷のピーク値が高いほど逆流量が大きいという関係になる。
【００４４】
（２）スクリュー逆回転方向の負荷のピーク値までの負荷の時間積分値は逆流量の指標
又、スクリュー逆回転方向の負荷のピーク値の高さが同じであっても、スクリュー逆回転方向の負荷がピーク値となるまでの経過時間が長い方が樹脂の逆流量が多くなる。そのため、スクリュー前進開始時点からスクリュー逆回転方向の負荷がピークとなる時点までスクリュー逆回転方向の負荷を時間で積分した値も樹脂の逆流量の指標となる。この場合、スクリュー逆回転方向の負荷の積分値が大きいほど逆流量が大きいという関係になる。
【００４５】
（３）スクリュー逆回転方向の負荷のピーク値までの負荷の位置積分値は逆流量の指標
スクリュー逆回転方向の負荷のピーク値の高さが同じであっても、スクリュー逆回転方向の負荷がピーク値となるまでにスクリューが移動した距離が長い方が樹脂の逆流量が多くなる。そのため、スクリュー前進開始時点からスクリュー逆回転方向の負荷がピークとなる時点までスクリュー逆回転方向の負荷をスクリュー位置に関して積分した値も樹脂の逆流量の指標となる。この場合、スクリュー逆回転方向の負荷の積分値が大きいほど逆流量が大きいという関係になる。
【００４６】
（４）スクリュー逆回転方向の負荷がピークとなる時点のスクリュー位置又は移動距離        は逆流量の指標
上記（１）〜（３）はいずれも、スクリュー前進中のスクリュー逆回転方向の負荷に基づいて逆流量の指標を求めるものであるが、スクリュー逆回転方向の負荷がピークとなる時点（逆流防止弁が閉鎖した時点）において他の物理量を検出して樹脂の逆流量の指標としてもよい。
【００４７】
逆流防止弁が閉じるタイミングが遅ければ、逆流防止弁が閉鎖した時点でスクリューはより多く前進していることになる。そのため、スクリュー逆回転方向の負荷がピークとなる時点のスクリュー位置あるいはスクリュー逆回転方向の負荷がピークとなる時点までのスクリューの移動距離を樹脂の逆流量の指標とすることができる。この場合、スクリュー逆回転方向の負荷がピークとなる時点のスクリュー位置がスクリュー前進方向であるほど逆流量が大きいという関係になる。また、スクリュー逆回転方向の負荷がピークとなる時点までのスクリューの移動距離が大きいほど逆流量が大きいという関係になる。
【００４８】
（５）スクリュー逆回転方向の負荷がピークとなる時点までの経過時間は逆流量の指標
逆流防止弁が閉じるタイミングが遅ければ、逆流防止弁が閉鎖した時点までの経過時間は長くなるので、スクリュー逆回転方向の負荷がピークとなる時点までの経過時間を樹脂の逆流量の指標とすることができる。この場合、スクリュー逆回転方向の負荷がピークとなる時点までの経過時間が大きいほど逆流量が大きいという関係になる。
【００４９】
（６）基準スクリュー位置または基準経過時間における射出圧力は逆流量の指標
上記の項目に加えて、次に挙げるようなものも樹脂の逆流量の指標としてもよい。
逆流防止弁が閉じるタイミングが早ければ（すなわち、逆流量が少なければ）、射出圧力は早く立ち上がり、逆流防止弁が閉じるタイミングが遅ければ（すなわち、逆流量が多ければ）、射出圧力の立ち上がりは遅くなる。このことから、所定のスクリュー位置における射出圧力、あるいはスクリュー前進開始から所定時間が経過した時点における射出圧力を樹脂の逆流量の指標とすることができる。
例えば、基準スクリュー位置を定め、スクリュー前進中にスクリューが基準スクリュー位置に達した時の射出圧力を逆流量の指標とすることができる。この場合、射出圧力が高いほど逆流量が小さいという関係になる。
また、基準経過時間を定め、スクリュー前進開始からの経過時間が基準経過時間となった時の射出圧力を逆流量の指標とすることができる。この場合、射出圧力が高いほど逆流量が小さいという関係になる。
上述の基準スクリュー位置あるいは基準経過時間は複数設定することもできる。
【００５０】
＜ピーク値が求められないときについて＞  
スクリュー前進開始時点で逆流防止弁がすでに閉鎖していた場合、あるいはスクリュー前進中に逆流防止弁が閉鎖しなかったような場合は、スクリュー逆回転方向の負荷にピークが表れないことがある。そのような場合には、前述した逆回転方向の負荷のピーク値やスクリュー逆回転方向の負荷がピークとなる時点までのスクリューの移動距離などの指標を求めることはできなくなるが、そのような場合でも、上述の基準スクリュー位置における射出圧力あるいはスクリュー前進開始から基準経過時間が経過した時点における射出圧力は求めることができる。
【００５１】
また、スクリュー逆回転方向の負荷にピークが２個所以上表れる（例えば双峰となる）場合があるが、そのような場合は、逆流量の指標を求めずに、逆流量の指標を求めなかった旨を表示装置に表示してもよいし、時間的に最後のピークを元に逆流量の指標を求めてもよいし、上述の基準スクリュー位置における射出圧力あるいはスクリュー前進開始から基準経過時間が経過した時点における射出圧力に基づいて逆流量の指標を求めてもよい。
【００５２】
＜評価関数について＞
評価関数は、例えば、
【数５】
2008155600.tif 000007
（ｉ≧１、ａ1≠０、ｂ1≠０、Ｘ1は逆流量の指標）
または、
【数６】
2008155600.tif 000008
（ｉ≧１、ｃ1≠０、Ｘ1は逆流量の指標）
とすることができる。
なお、逆流量の指標は必ず少なくとも１つ入力として与えるため、上記評価関数の（１）式、（２）式とも、入力Ｘ1には逆流量の指標を与え、ａ1≠０、ｂ1≠０、ｃ1≠０とする。これ以外には、逆流量の指標を２つ以上入力として与えてもよい。
【００５３】
又、逆流量の指標の他に、計量時間と計量トルクの内の少なくとも１つを入力として与えてもよい。上述したように、スクリューの逆回転量が多すぎると、逆流防止弁の後方にある樹脂を必要以上に後方に送ってしまい、計量時間が長くなることから、この計量時間は、スクリュー逆回転の制御条件を評価する１つのパラメータであり、これを逆流量の指標に加えて、評価関数の変数として利用できるものである。
【００５４】
さらに、スクリューの逆回転量を増加させていくと、スクリュー前方のフライト部の樹脂が後方に戻されるようになり、スクリュー前方のフライト部の樹脂が減少していく傾向となる。このスクリュー前方のフライト部の樹脂が減少した状態で計量を行うと、特に計量開始時のスクリュー回転トルク（計量トルク）が小さくなる傾向となる。このため、計量トルクもスクリュー逆回転の制御条件を評価する１つのパラメータとなるから、逆流量の指標に加えて、計量トルクを評価関数の変数として利用できるものである。
【００５５】
例えば、評価関数への入力を、
・回転力がピークとなる時点における回転力（逆流量の指標）
・射出開始時点から回転力ピーク時点までのスクリューの移動距離（逆流量の指標）
・計量時間
・計量トルク
の４項目とする場合、上記評価関数（１）式、（２）式への入力Ｘiは、
・Ｘ1：回転力がピークとなる時点における回転力
・Ｘ2：射出開始時点から回転力ピーク時点までのスクリューの移動距離
・Ｘ3：計量時間
・Ｘ4：計量トルク
となり、上記評価関数（１）式を用いる場合は、
ａ1Ｘ1b1＋ａ2Ｘ2b2＋ａ3Ｘ3b3＋ａ4Ｘ4b4
（ａ1、ａ2、ａ3、ａ4、ｂ1、ｂ2、ｂ3、ｂ4は各入力項目の重み係数、
ａ1≠０、ａ2≠０、ａ3≠０、ａ4≠０、ｂ1≠０、ｂ2≠０、ｂ3≠０、ｂ4≠０）
となる。また、同じ項目で上記評価関数（２）式を用いる場合は、
Ｘ1C1×Ｘ2C2×Ｘ3C3×Ｘ4C4
（ｃ1、ｃ2、ｃ3、ｃ4は各入力項目の重み係数、ｃ1≠０、ｃ2≠０、ｃ3≠０、ｃ4≠０）となる。
【００５６】
なお、次の（３）式、（４）式で示すように、逆流量を示す指標として与える可能性のある項目の数と計量時間と計量トルクの２つの項目とを合わせて全体でＮ個の項目を入力できる評価関数を用意しておき、評価に用いない項目に対応する重み係数ａi、ｂi、ｃiを０にしてもよい。
ａ1Ｘ1b1＋ａ2Ｘ2b2＋…＋ａiＸibi＋…＋ａNＸNbN        …（３）
または、
Ｘ1C1×Ｘ2C2×…×ＸiCi×…×ＸNCN                    …（４）
【００５７】
＜スクリュー逆回転の制御条件の調整について（その１）＞
まず、
・Ｘ1：回転力がピークとなる時点における回転力
・Ｘ2：射出開始時点から回転力ピーク時点までのスクリューの移動距離
を評価関数の入力とした場合を例にあげて説明する。
一般に、スクリューの逆回転量（スクリュー逆回転の制御条件のひとつ）を増加させていくと、逆流防止弁は早く閉じるようになるため、逆流量は減少する。従って、スクリューの逆回転量を増加させていくと、上述したように、
・Ｘ1→減少する方向
・Ｘ2→減少する方向
に変化する。
【００５８】
ここで、上記Ｘ1（回転力がピークとなる時点における回転力）、Ｘ2（射出開始時点から回転力ピーク時点までのスクリューの移動距離）を上記評価関数（１）式への入力として与え、上記評価関数（１）式においてｂ1＝１、ｂ2＝１とすると、評価関数は、
ａ1Ｘ1＋ａ2Ｘ2        …（５）
（ａ1、ａ2は各入力項目の重み係数、ａ1＞０、ａ2＞０）
となるが、上述したようにスクリューの逆回転量を増加させていくと、Ｘ1、Ｘ2とも減少していくため、上記評価関数（５）式のａ1Ｘ1＋ａ2Ｘ2も減少していく。これによって、スクリューの逆回転量を増加させながら上記評価関数（５）式の関数値を求め、求めた関数値が最も小さくなるようにスクリューの逆回転量を調整することができる。
【００５９】
一方、この場合、スクリューの逆回転量を増加させていくと、スクリューの逆回転の作用によって逆流防止弁が閉鎖するようになる。逆流防止弁が閉鎖するようになると、スクリューの逆回転量を増加させても、逆流防止弁が閉鎖していることに変わりはなくなるため、Ｘ1（回転力がピークとなる時点における回転力）とＸ2（射出開始時点から回転力ピーク時点までのスクリューの移動距離）の減少傾向は頭打ちとなる。そのため、上記評価関数（５）式の関数値の減少傾向も頭打ちとなる。関数値が頭打ちとなり、逆流防止弁が閉鎖しているものとみなされる状態で、さらに逆回転量を増大させることは、むだであり、かつ、上述したように計量時間を増大させる要因となることから、数値が頭打ちとなる時点を求めてスクリューの逆回転量を調整する。
＜スクリュー逆回転の制御条件の調整（その２）＞
次に、
・Ｘ1：回転力がピークとなる時点における回転力
・Ｘ2：射出開始時点から回転力ピーク時点までのスクリューの移動距離
・Ｘ3：計量時間
・Ｘ4：計量トルク
を評価関数の入力とした場合について説明する。
【００６０】
スクリューの逆回転量を増加させていくと、上述したように、Ｘ1、Ｘ2は、
・Ｘ1→減少する方向
・Ｘ2→減少する方向
と変化する。これに対して、スクリューの逆回転量を増加させていくと、計量時間は長くなるため、Ｘ3は、
・Ｘ3→増加する方向
に変化する。一方、スクリューの逆回転量を増加させていくと、スクリュー前方のフライト部の樹脂が後方に戻されるようになり、スクリュー前方のフライト部の樹脂が減少していく傾向となる。このスクリュー前方のフライト部の樹脂が減少した状態で計量を行うと、特に計量開始時のスクリュー回転トルク（計量トルク）が小さくなる傾向となる。このことから、スクリューの逆回転量を増加させていくと、Ｘ4は、
・Ｘ4→減少する方向
に変化する。
【００６１】
このように、スクリューの逆回転量を増加させていくと、逆流量の指標（Ｘ1、Ｘ2）は減少し、計量時間（Ｘ3）は増加し、計量トルク（Ｘ4）は減少する。逆流量を減少させるためには、スクリューの逆回転量を増加させていけばよいが、そうすると、計量時間は増加し、計量トルクは減少する。計量時間が増加するということは、サイクル時間が延びることにつながるため、計量時間が必要以上に増加することは望ましくない。また、計量時、特に計量開始時の計量トルクが減少するということは、スクリュー前方のフライト部に本来あるべき樹脂が後方に戻されていることを意味するが、必要以上に樹脂が後方に戻されているのも望ましくない。
従って、スクリューの逆回転量を増加させていくとともに逆流量は減少するが、適切なスクリューの逆回転量を求めるに当たっては、計量時間が増加し過ぎないようにし、計量トルクが減少し過ぎないようにする必要がある。
【００６２】
以上のことから、評価関数への入力項目に計量時間と計量トルクを加えて評価を行う。そこで、上記評価関数（１）式への入力をＸ1（回転力がピークとなる時点における回転力）、Ｘ2（射出開始時点から回転力ピーク時点までのスクリューの移動距離）、Ｘ3（計量時間）、Ｘ4（計量トルク）とし、上記評価関数（１）式においてｂ1＝１、ｂ2＝１、ｂ3＝１、ｂ4＝１とすると、評価関数は、
ａ1Ｘ1＋ａ2Ｘ2＋ａ3Ｘ3＋ａ4Ｘ4        …（６）
（ａ1、ａ2、ａ3、ａ4は各入力項目の重み係数、
ａ1＞０、ａ2＞０、ａ3＞０、ａ4＜０）
となる。
なお、上記評価関数（６）式において、Ｘ4（計量トルク）はスクリューの逆回転量を増加させていくとともに減少していく傾向があるため、その重み係数は負の値（ａ4＜０）とした。
【００６３】
スクリューの逆回転量を増加させていくと、上記評価関数（６）式の「ａ1Ｘ1＋ａ2Ｘ2」の項は減少していき、「ａ3Ｘ3＋ａ4Ｘ4」の項は増加していく。上述したように、「ａ1Ｘ1＋ａ2Ｘ2」の減少傾向は頭打ちとなるのに対して、「ａ3Ｘ3＋ａ4Ｘ4」はスクリューの逆回転量の増加とともに増加していく（ａ3Ｘ3は、正の値で増加していくが、ａ4Ｘ4は負の値で、その絶対値が減少していくことから、全体では増加していく）。従って、上記評価関数（６）式の関数値は、スクリューの逆回転量を増加させていくと、最初は減少傾向にあるが、スクリューの逆回転量の増加とともに減少傾向から増加傾向に転じる。この減少傾向から増加傾向に転じるところで関数値が最小となる。この関数値が最小となるところを求めてスクリューの逆回転量を調整することができる。
【００６４】
なお、スクリューの逆回転量を増加させていくと、スクリュー前方のフライト部の樹脂が後方に戻されるようになるということは前述したが、この場合、後方に戻された樹脂の影響によって、計量トルクが増加する傾向となることもある。このような場合は、評価関数における計量トルクの重み係数を正の値（例えば、上記評価関数（６）式の場合、ａ4＞０）とすればよい。このように、スクリューの逆回転量を増加させていった時に、評価関数への入力項目が増加傾向にあるか減少傾向にあるかに応じて、各入力項目に対する重み係数の符号を定めることができる。
【００６５】
また、上述のいずれの場合も、スクリューの逆回転量の調整範囲を予め制限しておいて、その調整範囲内で上記評価関数（５）式または（６）式の関数値が最も小さくなるところを求めてスクリューの逆回転量を調整してもよい。
【００６６】
＜スクリュー逆回転における制御条件の逆回転量の調整について＞
スクリュー逆回転の制御条件として、逆回転量を調整するものであるが、この逆回転量の調整は、逆回転角度、スクリュー逆回転時間、スクリュー逆回転速度のいずれか１つまたは２つを調整することによって達成できる。逆回転量を増加させるときには、逆回転角度を増加させるか、スクリュー逆回転速度を変えずに、スクリュー逆回転時間を増加させてもよいし、スクリュー逆回転時間を変えずにスクリュー逆回転速度を増加させてもよい。又はいずれか２つを変えるようにしてもよい。
【００６７】
＜一実施形態について＞
上述した事項は本発明の原理概要の説明であり、以下本発明の一実施形態について説明する。
図４は、本発明の一実施形態の要部ブロック図である。  
スクリュー１が挿入されたシリンダ７の先端には、ノズル９が装着され、シリンダ７の後端部には樹脂ペレットをシリンダ７内に供給するホッパ１５が取り付けられている。スクリュー１は、その先端に逆流防止弁３、チェックシート４等からなる逆流防止弁機構を備え、スクリュー回転用のサーボモータ１０により伝動機構１２を介して回転駆動されるようになっている。さらに該スクリュー１は、射出用サーボモータ１１により伝動機構１３及びボールネジ／ナット等の回転運動を直線運動に変換する変換機構１４によって軸方向に駆動され射出及び背圧制御がなされるように構成されている。スクリュー回転用サーボモータ１０、射出用サーボモータ１１にはそれぞれ回転位置・速度を検出する位置・速度検出器１６，１７が取り付けられており、この位置・速度検出器によって、スクリュー１の回転速度、スクリュー１の位置（スクリュー軸方向の位置）、移動速度（射出速度）を検出できるようにしている。又、スクリュー１に加わる溶融樹脂からのスクリュー軸方向の圧力を検出するロードセル等の圧力センサ１８が設けられている。
【００６８】
この射出成形機を制御する制御装置２０は、数値制御用のマイクロプロセッサであるＣＮＣＣＰＵ２２、プログラマブルマシンコントローラ用のマイクロプロセッサであるＰＭＣＣＰＵ２１、サーボ制御用のマイクロプロセッサであるサーボＣＰＵ２５とがバス３６で接続されている。
ＰＭＣＣＰＵ２１には射出成形機のシーケンス動作を制御するシーケンスプログラム等を記憶したＲＯＭ２６および演算データの一時記憶等に用いられるＲＡＭ２７が接続され、ＣＮＣＣＰＵ２２には、射出成形機を全体的に制御する自動運転プログラム等を記憶したＲＯＭ２８および演算データの一時記憶等に用いられるＲＡＭ２９が接続されている。
【００６９】
また、サーボＣＰＵ２５には、位置ループ、速度ループ、電流ループの処理を行うサーボ制御専用の制御プログラムを格納したＲＯＭ３１やデータの一時記憶に用いられるＲＡＭ３２が接続されている。更に、サーボＣＰＵ２５には、該ＣＰＵ２５からの指令に基づいて、スクリュー回転用のサーボモータ１０を駆動するサーボアンプ３４や、スクリューを軸方向に駆動し射出等を行う射出用のサーボモータ１１を駆動するサーボアンプ３５が接続され、各々のサーボモータ１０、１１には位置・速度検出器１６、１７がそれぞれ取り付けられており、これら位置・速度検出器１６、１７からの出力がサーボＣＰＵ２５に帰還されるようになっている。サーボＣＰＵ２５は、ＣＮＣＣＰＵ２２から指令される各軸（スクリュー回転用のサーボモータ１０又は射出用のサーボモータ１１）への移動指令と位置・速度検出器１６、１７からフィードバックされる検出位置、速度に基づいて位置、速度のフィードバック制御を行うと共に、電流のフィードバック制御をも実行して、各サーボアンプ３４，３５を介して、各サーボモータ１０、１１を駆動制御する。
【００７０】
又、サーボＣＰＵ２５には、圧力センサ１８での検出信号をＡ／Ｄ変換器３３でデジタル信号に変換した樹脂圧力（スクリューにかかる樹脂圧力）が入力されている。また、樹脂の逆流によって生じるスクリュー１を回転させる回転力を検出するためにスクリュー回転用サーボモータ１０の駆動制御処理には、周知の外乱推定オブザーバが組み込まれ、該外乱推定オブザーバによってスクリュー１に加わる回転方向の力（回転力）を検出するようにしている。
なお、型締機構やエジェクタ機構を駆動するサーボモータやサーボアンプ等も設けられているものであるが、これらのものは本願発明と直接関係していないことから、図４では省略している。
液晶やＣＲＴで構成される表示装置付き入力装置３０は表示回路２４を介してバス３６に接続されている。さらに、不揮発性メモリで構成されるデータ保存用ＲＡＭ２３もバス３６に接続され、このデータ保存用ＲＡＭ２３には射出成形作業に関する成形条件と各種設定値，パラメータ，マクロ変数等を記憶する。
【００７１】
以上の構成により、ＰＭＣＣＰＵ２１が射出成形機全体のシーケンス動作を制御し、ＣＮＣＣＰＵ２２がＲＯＭ２８の運転プログラムやデータ保存用ＲＡＭ２３に格納された成形条件等に基づいて各軸のサーボモータに対して移動指令の分配を行い、サーボＣＰＵ２５は各軸（スクリュー回転用のサーボモータ１０や射出用のサーボモータ１１等の各駆動軸のサーボモータ）に対して分配された移動指令と位置・速度検出器で検出された位置および速度のフィードバック信号等に基づいて、従来と同様に位置ループ制御，速度ループ制御さらには電流ループ制御等のサーボ制御を行い、いわゆるディジタルサーボ処理を実行する。
上述した構成は従来の電動式射出成形機の制御装置と変わりはなく、従来の制御装置と異なる点は、スクリュー逆回転工程の制御条件の調整機能が付加されている点で相違するものである。
【００７２】
図５はこの制御装置が実施するスクリュー逆回転工程における制御条件の調整機能のアルゴリズムを示すフローチャートである。  
まず、スクリュー逆回転で回転させる逆回転量のリミット値、成形サイクル毎に変化させる逆回転の変化量（増分）を設定しておく。この場合、単に逆回転角度を変える場合には、最大逆回転角度をリミット値とし、成形サイクル毎変化させる逆回転角度の変化量（増分）を設定しておく。また、逆回転時間を一定とし、逆回転速度を変えることによって逆回転量を変える場合には、最大の速度をリミット値とし、成形サイクル毎変化させる逆回転の変化量（増分）を速度の増分で設定しておく。また、逆回転速度を一定とし、逆回転時間を変えることによって逆回転量を変える場合には、逆回転させる最大時間をリミット値とし、成形サイクル毎変化させる逆回転の変化量（増分）を逆回転時間の増分で設定しておく。また、射出圧力を検出する射出開始からの経過時間Ｔｓ、射出圧力を検出するスクリュー位置ｘｓを設定しておく。さらに評価関数の係数を設定しておく。例えば、評価関数として、簡単でより正確に逆流量を求めることができるものとして回転力ピーク値と、計量時間を選択した場合には、評価関数のこの回転力ピーク値と、計量時間の項目に対する係数に対しては、所定の値を設定し、これら項目以外の項目の係数は「０」を設定しておく。
【００７３】
そこで、スクリュー逆回転工程の制御条件の調整指令が入力されると、ＰＭＣＣＰＵ２１は、図５の処理を開始する。  
まず、逆回転量の初期値を「０」とし（単に逆回転角度を変化させるものであれば、この逆回転角度を０，逆回転量を変化させるものが逆回転速度であれば該速度を０，逆回転時間であれば、該時間を０と設定する）（ステップ１００）、図示していない型締め用サーボモータを駆動制御し型閉じ工程を実行させる（ステップ１０１）。設定型締力が発生するまで金型が閉じられると、射出・保圧工程を開始させ、サーボＣＰＵ２５によりサーボアンプ３５を介して射出用サーボモータ１１を駆動制御し、スクリュー１を前進（図４中左方向）させ、シリンダ７内のスクリュー１の前方に溜まった溶融樹脂を金型内に射出させる。この射出・保圧工程の射出中、スクリュー回転力のピーク値を検出すると共に、樹脂の逆流量の指標となる物理量を検出する（ステップ１０３）。
【００７４】
この樹脂逆流量の指標となる物理量を検出するステップ１０３の処理を図６に示す。  射出のためにスクリュー１を前進開始させると共に、スクリュー１の回転力の時間積分値Ａ（ｔ）、スクリュー位置に対する積分値Ａ（ｘ）を記憶する各レジスタに「０」を格納する（ステップ２００）。さらに、現在位置レジスタよりスクリュー１の前進開始時のスクリュー位置ｘを読み取りレジスタＲ（ｘ）に格納すると共に、スクリュー回転用のサーボモータ１０が受ける回転力Ｔrqを記憶するレジスタＲ（Ｔrq）に「０」を格納する（ステップ２０１）。さらに、スクリュー前進開始からの経過時間を計時するタイマーＴをスタートさせる（ステップ２０２）。
そして、現在位置レジスタに記憶されているスクリュー位置（射出用サーボモータの回転位置）ｘを求めると共に、外乱推定オブザーバで求められるスクリュー回転力Ｔrqを求め（ステップ２０３）、検出したスクリュー位置ｘからレジスタＲ（ｘ）に記憶する前サンプリング時における位置（最初は「ｘ０」）を減じて、サンプリング周期毎のスクリュー移動量δｘを求める（ステップ２０４）。
【００７５】
次に、所定時間経過した時の射出圧力を求めたとき「１」にセットされるフラグＦｔが「１」か判断し（ステップ２０５）、「１」であればステップ２０８に移行し、「１」でなければ、タイマーＴの計時時間が、設定された所定時間Ｔｓに達したか判断し（ステップ２０６）、達してなければステップ２０８に進み、所定時間Ｔｓに達していれば、このとき圧力センサ１８で検出される圧力を射出圧力Ｐｔとして記憶し（ステップ２０７）、かつフラグＦｔを「１」にセットしステップ２０８に移行する。
【００７６】
ステップ２０８では、スクリューが設定位置に達し、射出圧力が読み取られたときにセットされるフラグＦｘが「１」か判断し、「１」であればステップ２１１に移行し、「１」でなければ、ステップ２０３で読み出したスクリュー位置ｘが、設定された所定位置ｘｓに達したか判断し（ステップ２０９）、所定位置ｘｓに達していなければステップ２１１に進み、達していれば、このとき圧力センサ１８で検出される射出圧力Ｐｘを記憶し（この位置によって記憶する射出圧力をＰｘ、経過時間で記憶する射出圧力をＰｔと記載し区別している）（ステップ２１０）、かつフラグＦｘを「１」にセットしステップ２１１に移行する。
【００７７】
ステップ２１１では、ステップ２０３で求めたスクリュー回転力ＴrqからレジスタＲ（Ｔrq）に記憶する前サンプリング時におけるスクリュー回転力（最初は「０」）を減じた値が負か判断する。射出開始時には、前述したように、樹脂が逆流し、この樹脂の逆流によりスクリュー１には回転力が加わることにより、外乱推定オブザーバで求められるスクリュー回転力Ｔrqは図３に示すように増大する。よって、最初は、ステップ２０５での判断では、「Ｎｏ」となる。そこで、スクリュー１の回転力の時間積分値Ａ（ｔ）を記憶するレジスタに、ステップ２０３で検出したスクリュー回転力Ｔrqにサンプリング周期δｔをかけた値を加算することで積算し、スクリュー１の回転力の時間積分値Ａ（ｔ）を求め、さらに、スクリュー位置に対する積分値Ａ（ｘ）を記憶するレジスタに、検出したスクリュー回転力Ｔrqにステップ２０４で求めたサンプリング周期における移動量δｘをかけた値を加算して積算し、スクリュー１の回転力の位置積分値Ａ（ｘ）を求め、更新する（ステップ２１２）。
【００７８】
さらに、ステップ２０３で求めたスクリュー回転力Ｔrq、スクリュー位置ｘを、それぞれスクリュー回転力Ｔrqを記憶するレジスタＲ（Ｔrq）、スクリュー位置ｘを記憶するレジスタＲ（ｘ）に格納し（ステップ２１３）、ステップ２０３に戻る。以下、ステップ２１１で「Ｙｅｓ」と判断されるまでは、ステップ２０３〜２１３の処理をサンプリング周期毎実行する。
【００７９】
スクリューが前進し、前述したように樹脂が逆流し、図３に示すように、スクリュー回転力Ｔrqが上昇する。そして、逆流防止弁３が閉じることによって、スクリュー回転力Ｔrqは減少することになる。そのため、ステップ２１１で、当該サンプリング時に検出したスクリュー回転力Ｔrqから、１つ前のサンプリング時に検出しレジスタＲ（Ｔrq）に記憶するスクリュー回転力を減じた値が負となる。これによって、スクリュー回転力Ｔrqはピークに達したと判別しステップ２１１、このピーク値を検出した時点での物理量を取得する。そこで、ステップ２１１で、Ｔrq-Ｒ（Ｔrq）＜０と判断されたとき、物理量を読み取り記憶する。
【００８０】
このスクリュー回転力のピーク値が検出された時点では、すでに、所定経過時間Ｔｓ、所定スクリュー位置ｘｓにおける射出圧力Ｐｔ、Ｐｘは求められているので、この射出圧力Ｐｔ、Ｐｘを樹脂の逆流量を示す指標として記憶する。また、レジスタＲ（Ｔrq）に記憶するスクリュー回転力がピーク値になった時点のスクリュー回転力Ｔrq、レジスタＲ（ｘ）に記憶するピーク時点でのスクリュー位置、さらに、スクリュー回転力がピーク値に達するまでのレジスタに記憶するスクリュー回転力の時間積分値Ａ（ｔ）、位置積分値Ａ（ｘ）、射出開始からピーク値に他するまでの経過時間を計時するタイマーＴの値の計時時間ｔ、または、ステップ２１１でＹｅｓとなったときには、すでにピーク値を超えたときであるので、タイマーＴから読み取った経過時間ｔから、１サンプリング周期δｔだけ減じた時間をピーク時点までの経過時間とする。
さらに、レジスタＲ（ｘ）に記憶するスクリュー位置からスクリュー前進開始位置ｘ０を減じたスクリュー前進開始からスクリュー回転力ピーク時までの移動距離Ｌを、スクリュー回転力ピーク時の物理量として記憶し（ステップ２１４）、フラグＦｔ、Ｆｘに「０」をセットし（ステップ２１５）、この樹脂逆流量検出処理を終了する。
【００８１】
こうして、スクリュー回転力ピーク時の物理量が記憶されると、図５のメイン処理に戻る。スクリューが射出保圧切換位置に達するまで射出が行われると、射出工程から保圧工程に移行する（ステップ１０４、１０５）。  
保圧工程が終了すると、計量工程を開始し計量時間タイマーをスタートさせ、従来と同様の計量工程の処理を行い（ステップ１０６）、計量工程が終了すると、計量時間タイマーで計時された計量時間を読み取り記憶する（ステップ１０７）。
ステップ１０３で求めた逆流量を示す指標と、ステップ１０７で求めた計量時間に基づいて評価関数を計算し、評価値を求め（ステップ１０８）、この評価値と計量時間、及び、このとき設定されている逆回転量を対応させて記憶する（ステップ１０９）。
【００８２】
次に、逆回転量を設定された増分（時間または速度）だけ増大させ（ステップ１１０）、この増大させた逆回転量だけスクリューを逆回転させ（ステップ１１１）、その後サックバック処理を行い（ステップ１１２）、金型を開き成形品を取り出す（ステップ１１３、１１４）。これによって、１成形サイクルは終了するが、逆回転量が設定されたリミット値を超えたか判断し（ステップ１１５）、超えていないときには、ステップ１０１に戻り、ステップ１０１以下の次の成形サイクルを実施する。
以下、逆回転量がリミット値を超えない限りステップ１０１〜ステップ１１５を繰り返し実行し、ステップ１０９で評価値と逆回転量及び計量時間を記憶していく。
【００８３】
ステップ１１５で、逆回転量が設定されたリミット値を超えたと判断されたときには、記憶されている逆回転量が０〜リミット値の範囲内での評価値において、１番評価値の高い逆回転量（逆回転角度、逆回転速度または逆回転時間）をスクリュー逆回転工程の逆回転量として設定し（ステップ１０６）、この逆回転工程の制御条件の調整処理は終了する。  
なお、前述したように、この評価を行う評価関数の評価値が頭打ちとなり、１番高い評価値が複数存在するときは、一番逆回転量の少ないものをスクリュー逆回転工程の逆回転量として選択する。
こうして、逆回転工程の制御条件が設定された後は、通常の連続成形時の成形サイクルにおける逆回転工程では、この設定された制御条件（逆回転量）で実行されることになる。この通常の成形サイクルは、図５において、ステップ１００、１０３、１０８〜１１０、１１５、１１６はなく、またステップ１０６，１０７での計量時間タイマーによる計量時間の計時処理は無くてもかまわない。すなわち、型閉、射出、保圧、スクリュー逆回転、サックバック、型開、成形品取り出しの成形サイクルが実行されることになる。
【００８４】
なお、逆流防止弁の閉鎖を容易にするために、前述したように、計量完了後、射出開始前にスクリューを前進させる射出前スクリュー移動工程を付加する場合があるが、この場合には、ステップ１１１の前、または後に、この射出前スクリュー移動工程を追加するものである。この射出前スクリュー移動工程を行う場合には、この射出前スクリュー移動工程におけるスクリュー前進時に、上述した樹脂逆流量の指標を求める処理を行ってもよいものである。すなわち、図５におけるステップ１０３の処理である図６の樹脂逆流量検出処理が、ステップ１１１の前または後に実施される射出前スクリュー移動工程のスクリュー前進時に実施されることになる。なお、射出前スクリュー移動工程が実施される場合においても、図５に示すように射出工程時にステップ１０３の処理（図６の樹脂逆流量検出処理）を実施してもよいことはもちろんである。
【００８５】
上述したように、計量トルクも評価関数の１要素であるが、上述した実施形態では、この計量トルクを測定しておらず、評価関数の要素としていない。この計量トルクも評価関数の要素とするときには、ステップ１０６、１０７での計量工程中、所定周期毎にスクリュー回転力（計量トルク）をオブザーバで求め、このスクリュー回転力の平均値を計量トルクとして求め、ステップ１０９で、この計量トルクをも含めて評価関数の計算を行い評価値を求めるようにすればよい。
なお、評価関数により評価値を求めるための変数だけを求めればよいものであるから、評価関数で利用する変数が決まれば、その変数だけを求めるようにしてもよいものである。例えば、評価関数の変数が、回転力のピーク値と計量時間であれば、図６のステップ２００，２０４〜２１０、２１２、２１５の処理は必要がないものとなる。評価関数で評価する上で必要な項目の変数を求めるようにすればよいものである。
【００８６】
以上のようにして、樹脂の逆流量が小さく、かつ計量時間をむだに長くしない最適なスクリュー逆回転工程の制御条件（逆回転量）を求めて設定できるから、樹脂・金型・成形条件が変化しても、その変化に応じて、最適な逆回転量を求めて、クリュー逆回転工程の逆回転量（制御条件）を設定することができるので、常に最適なスクリュー逆回転工程の制御条件（逆回転量）で成形サイクルを実行できる。
【００８７】
しかも、上述したように、射出成形機の制御装置に上述した処理のソフトウェアを組み込んで自動的にスクリュー逆回転工程の制御条件を調整できる。また、上述した処理手順に従って、ユーザーが手動操作によってこのスクリュー逆回転工程の制御条件の調整を行ってもよいものである。この手動操作によりスクリュー逆回転工程の制御条件の調整方法を実施する際には、例えば、所定値の逆回転量を設定し、上述したステップ１０１から１１４までの処理、すなわちスクリュー逆回転工程を含む成形サイクルを実施し、評価値を得る。次に逆回転量を変え（所定量増加）、同様に成形サイクルを実施し、評価値を得る。以下逆回転量を順次変え（所定量増加）、評価値を得る。この評価値を表示装置／入力装置の画面に表示させて、評価値の高い逆回転量を選択するようにする。
【００８８】
上述した実施形態では、電動式射出成形機の例を述べ、スクリューを回転させるスクリュー回転手段として電動サーボモータの例を記載したが、電動サーボモータ以外に、例えば、電動モータ・油圧モータなどを用いることができる。また、スクリューの回転力を検出する手段として、上述した実施形態では、外乱推定オブザーバを用い、該オブザーバで求めた負荷トルクからスクリュー回転力を求めたが、スクリュー回転用サーボモータの駆動電流に基づいてスクリュー回転力を求めてもよい。または、油圧モータの油圧により、さらには、スクリューに歪センサを設けて該歪みセンサで検出するようにしてもよい。
【図面の簡単な説明】
【００８９】
【図１】逆流防止弁機構の一例での説明図である。
【図２】計量工程が終了してから、スクリューが逆回転され、スクリューが前進（射出）開始されるまでの逆流防止弁機構の状態を説明する説明図である。
【図３】スクリューを前進させたときにスクリューにかかるスクリュー回転方向の負荷を表すグラフである。
【図４】本発明の一実施形態の要部ブロック図である。
【図５】同実施形態におけるスクリュー逆回転工程における制御条件の調整機能のアルゴリズムを示すフローチャートである。
【図６】同実施形態において、樹脂逆流量の指標となる物理量を検出する処理のアルゴリズムを示すフローチャートである。
【符号の説明】
【００９０】
１  スクリュー
２  スクリューヘッド
３  逆流防止弁
４  チェックシート
５  フライト
６  溝部
７  シリンダ
２０  制御装置
【図１】
2008155600.tif 000013
【図２】
2008155600.tif 000014
【図３】
2008155600.tif 000015
【図４】
2008155600.tif 000016
【図５】
2008155600.tif 000017
【図６】
2008155600.tif 000018